(57)【要約】【課題】古紙などの植物系廃棄物を有効に利用して環境に優しい遊技機用遊技板を提供する。【解決手段】古紙などの植物系廃棄物と熱可塑性樹脂とが混合・混練された成形原料により遊技板を成形する。なお、熱可塑性樹脂として、ポリエチレン又はポリプロピレンなどの汎用合成樹脂を用いることができるし、又は、植物系廃棄物からセルロースを取出し、このセルロースを分解した糖から合成した生分解性プラスチックを用いることができる。又、上記のような成形原料をベニヤ板に射出等することにより、ベニヤ板表面に成形原料が一体に被覆された遊技板１を植物系廃棄物を利用して製造することができる。【選択図】    図４
2005000208.tif 000002
【特許請求の範囲】
【請求項１】
植物系廃棄物と熱可塑性樹脂とを混合・混練して成形原料となし、この成形原料を用いて成形したことを特徴とする遊技機用遊技板。
【請求項２】
植物系廃棄物として、古紙を用いる請求項１に記載の遊技機用遊技板。
【請求項３】
熱可塑性樹脂として、合成樹脂を用いる請求項１又は２に記載の遊技機用遊技板。
【請求項４】
熱可塑性樹脂として、植物系廃棄物のセルロースを分解した糖から合成した生分解性プラスチックを用いる請求項１又は２に記載の遊技機用遊技板。
【請求項５】
熱可塑性樹脂を発泡体とするか、又は、熱可塑性樹脂に発泡体を混合することにより、熱可塑性樹脂の密度を小さくした請求項１〜４の何れかに記載の遊技機用遊技板。
【請求項６】
遊技板を釘打ち可能な硬さとした請求項１〜５の何れかに記載の遊技機用遊技板。
【請求項７】
成形によりベニヤ板の表面に成形原料を一体に被覆した請求項１〜６の何れかに記載の遊技機用遊技板。
【発明の詳細な説明】
【０００１】
【発明の属する技術分野】
本発明は、パチンコ機等の遊技機に使用される遊技板に関するものである。
【０００２】
【従来の技術】
パチンコ機の遊技板においては、遊技板の前面に、絵柄を印刷した透明な化粧シートを貼着するとともに、環状のガイドレールにより取り囲まれた遊技領域内に各種の入賞装置や、可変表示装置、照明ランプなどの各種の遊技部品が配設されている。
ところで、近年は地球環境保護の観点からこのような遊技板においても、植物系廃棄物等を有効に利用するもの、リサイクル使用が可能なもの、或いは廃棄した時にも環境を汚染しないものであることなどが求められている。例えば、遊技板として特許第２７３２７２４号公報には、合成樹脂、特にＡＢＳ樹脂からなる成形体を基盤とするものが開示されている。又、特許第２９６６３８０号公報にはポリエチレンを用いて成形する遊技盤の製造方法が開示されている。しかしながら、ＡＢＳ樹脂、ポリエチレンなどの汎用合成樹脂のみから遊技板を製造した場合には植物系廃棄物を何ら利用することができない。また、合成樹脂のみから製造した遊技板は、難燃性を有しており一般ゴミとしての処分が不可能であるうえに、埋め立て処分した場合には容易に分解されず、その周辺の環境を破壊してしまう等の問題があるものである。
【０００３】
【特許文献１】特許第２７３２７２４号公報（図１）
【特許文献１】特許第２９６６３８０号公報（図４）
【０００４】
【発明が解決しようとする課題】
本発明は上記した従来の問題点を解決し、古紙などの植物系廃棄物を有効に利用して環境に優しい遊技機用遊技板を提供するためになされたものである。
【０００５】
【課題を解決するための手段】
上記の課題を解決するためになされた本発明の遊技機用遊技板は、植物系廃棄物と熱可塑性樹脂とを混合・混練して成形原料となし、この成形原料を用いて成形したことを特徴とするものである。
【０００６】
なお、植物系廃棄物として、古紙を用いることができ、熱可塑性樹脂として、合成樹脂を用いることができ、また、熱可塑性樹脂として、植物系廃棄物のセルロースを分解した糖から合成した生分解性プラスチックを用いることができる。また、熱可塑性樹脂を発泡体とするか、又は、熱可塑性樹脂に発泡体を混合することにより、熱可塑性樹脂の密度を小さくすることができる。
そして、遊技板を釘打ち可能な硬さととするのが望ましく、さらに遊技板を、成形によりベニヤ板の表面に成形原料を一体に被覆したものとすることができる。
【０００７】
【発明の実施の形態】
以下に図面を参照しつつ本発明の好ましい実施形態を説明する。
図１はパチンコ遊技機の遊技領域を示す正面図であって、環状のガイドレール１０により取り囲まれた遊技板１の遊技領域１１内に、多数の釘１２が打ち込まれており、且つ図柄始動入賞口２、特定入賞口３、第３種始動入賞口４、大入賞口５、可変表示装置６を備えた役物７、羽根車８、照明ランプ９などの遊技部品が配設されている。
【０００８】
上記したパチンコ遊技機は権利物タイプのものであって、図柄始動入賞口２に玉が入賞すると可変表示装置６の表示状態が変動開始されるとともに、一定時間後に停止され、停止した可変表示装置６の表示結果が予め設定された表示に揃うと特定入賞口３が開放される。そして、特定入賞口３に玉が入賞することにより大当たりの権利が発生する。この権利発生時において第３種始動入賞口４に玉が入賞すると大当たりが確定して大入賞口５は開放されて所定時間又は所定の個数の玉を受入れることができる。大当たり確定状態の期間中に始動入賞口４に玉が入賞した場合には次ラウンドの大当たりの権利を獲得することができる。そして、始動入賞口４への入賞によって大入賞口５が開放されることを一回として、最大で１６回までの繰り返しが可能である。
【０００９】
ここで、本実施例において遊技板１は、植物系廃棄物と熱可塑性樹脂とが混合・混練された成形原料により成形されたものである。植物系廃棄物としてダンボール、チラシ、再生紙などの古紙や木粉、竹、わら、間伐材、家具廃材、家屋解体廃材を用いることができるが、古紙ないしはこの古紙から取り出した植物繊維を用いるのが、成形時における流動性などの成形条件が安定するので望ましい。
【００１０】
古紙などの植物系廃棄物にポリエチレン又はポリプロピレン等の汎用合成樹脂を混合して混練して成形原料とする。この成形原料から成形した遊技板１は、紙などの一般ゴミと同様に可燃ゴミとして処分することができるので、ビニル重合系の通常の汎用合成樹脂のみからなる遊技板１のように難燃物として分別する手間を省略することができる。又、廃棄物である古紙を有効に利用することができる。古紙を汎用合成樹脂と混合する場合には、古紙の量を５０％以上とすることより古紙主体の環境に優しい遊技板１を成形することができるので望ましい。
【００１１】
又、熱可塑性樹脂として、植物系廃棄物から植物繊維を取出し、この植物繊維の主要成分であるセルロースを分解して取り出した糖から合成した植物系のものを用いることができる。この植物系熱可塑性樹脂は生分解性、光分解性を有し、リサイクル使用可能なリサイクル型プラスチックである。このような熱可塑性樹脂に古紙などを混合して成形原料となし、これを射出成形又は押出し成形又は圧縮成形することによりにより成形体、すなわち遊技板１を製造することができる。
【００１２】
植物系廃棄物からの熱可塑性樹脂及び成形体の製造工程を図２に示す。先ず、ダンボール、チラシ、再生紙などの古紙等から植物繊維を取り出す。次いで、植物繊維の主要成分であるセルロースをセルラーゼ（セルロース分解酵素）とともに緩衝液中に投入して、セルロースを分解し糖（ポリ乳酸）を取り出す。古紙に付着している印刷インキやトナーなどの色材はこの段階で除去することができる。次に回収した糖にジカルボン酸などの脂肪酸を加えて共重合することにより、生分解性、光分解性のあるプラスチックを合成することができる。このプラスチックに古紙等を裁断等した小片、或いは古紙等から取出した植物繊維を混合・混練したものを成形原料として用いることによって、図３に示すような遊技板１を製造することができる。
【００１３】
糖は高価なものであるので古紙や植物繊維などの植物系廃棄物をフィラー（充填剤）として熱可塑性樹脂の分量以上に多量混合して混練・希釈することにより安価な成形原料とする。これによって遊技板１を極めて安価に製造することができる。なお、植物系廃棄物の混合割合は熱可塑性樹脂１に対して１〜４とするのが望ましい。
【００１４】
又、ポリプロピレンなどの汎用合成樹脂に生分解性プラスチックを混合して部分分解（崩壊）型生分解性プラスチックとしたものを熱可塑性樹脂として用いることもできる。この部分分解型生分解性プラスチックは通常の完全分解型生分解性プラスチックと同程度の分解性を有する環境に好適なものである。なお、生分解性プラスチックの混合率を１％以上とするのが、分解速度を速めるうえで望ましく、１０％以上とするのがさらに望ましい。混合率を高めるほど遊技板１の分解速度を速めることができる。
【００１５】
以上の熱可塑性樹脂は、アソジカルボンアミドなど通常の発泡剤を用いて成形時に発泡させて発泡体とすることにより、密度を小さくして軽量化することができる。また、予め発泡させた発泡ポリエチレンなどを熱可塑性樹脂に混合することによっても、熱可塑性樹脂の密度を小さくすることができる。
【００１６】
そして、成形原料を射出成形等して冷却固化することにより、成形された遊技板１を釘打ち可能なものとすることができる。或いは、混練する古紙、植物繊維等の混合量を調整することにより強靭性を確保して釘打ち可能な硬さを有する遊技板１を製造することができる。なお、成形原料には流動性を確保するための流動剤、古紙の漂白剤を適宜添加することができる。
【００１７】
成形された遊技板１が、打ち込まれた釘を確実に保持することができず、玉の衝突によりぐらついたりするような軟質なものである場合には、図４に示すように、ベニヤ板の表面に成形原料を射出、押出し等して、内部にベニヤ板が装入されてベニヤ板表面に成形原料が一体に被覆された遊技板１を製造することができる。このように遊技板１をベニヤ板により補強されたものとすることにより確実に釘を支持することができる。したがって、植物系廃棄物を有効に利用でき、且つベニヤ板の消費量を抑制することができる。
【００１８】
上記したように成形原料は古紙などの植物系廃棄物から製造するので、従来は廃棄処分などされていた植物系廃棄物を資源として有効に利用することができる。古紙等から製造した生分解性プラスチックは、使用後は自然界の微生物、分解酵素などによって水と二酸化炭素に分解される。このため地中への埋め立て処分が可能で、焼却した場合でも発生熱量が少なくダイオキシン等の有害物質が放出されることがない。又、生分解性プラスチックはケミカルリサイクル（化学的分解）によってもとの原料である糖に再度戻すことができる。したがって、リサイクルして繰り返し使用することが可能であるので、限りある石油資源のように枯渇する心配がない。
【００１９】
【発明の効果】
以上に説明したように、本発明の遊技機用遊技板は、古紙などの植物系廃棄物とポリプロピレンなどの汎用合成樹脂とが混合・混練された成形原料により成形したものであるから、植物系廃棄物を有効に利用できるうえに、使用後は一般ゴミとして処分することができるので、分別回収する必要がない。
又、熱可塑性樹脂として古紙などのセルロースを分解して得た糖から合成した生分解性プラスチックを用いて成形した場合には、遊技板を生分解性、光分解性を有するものとすることができるので、使用後は地中への埋め立て処分が可能で、焼却した場合でも発生熱量が少なくダイオキシン等の有害物質が放出されることがない。
又、熱可塑性樹脂を発泡体とするか、又は、熱可塑性樹脂に発泡体を混合することにより、熱可塑性樹脂の密度を小さくして軽量化を図ることができる。
さらに、ベニヤ板の表面に成形原料を一体に被覆することにより、釘を確実に支持することのできる遊技板を植物系廃棄物を利用して製造することができる。
したがって、本発明は古紙などの植物系廃棄物を有効に利用して環境に優しい遊技機用遊技板を提供することができるものとして、極めて大きな価値を有するものである。
【図面の簡単な説明】
【図１】パチンコ遊技機の遊技領域を示す正面図である。
【図２】熱可塑性樹脂及び成形体の製造方法を示す工程図である。
【図３】本発明に係る遊技板の断面図である。
【図４】ベニヤ板を内装する遊技板の断面図である。
【符号の説明】
１  遊技板
２  図柄始動入賞口
３  特定入賞口
４  第３種始動入賞口
５  大入賞口
６  可変表示装置
７  役物
８  羽根車
９  照明ランプ
１０  ガイドレール
１１  遊技領域
１２  釘
【図１】
2005000208.tif 000003
【図２】
2005000208.tif 000004
【図３】
2005000208.tif 000005
【図４】
2005000208.tif 000006